(57)【要約】【課題】用途に応じて、ブラシを使い分けることを可能とする。【解決手段】内部に電動送風機を有する掃除機本体と、一端が掃除機本体に連通され、他端に吸込管１が配設されるホースと、吸込管１に着脱自在に接続される延長管５と、延長管５に揺動自在、かつ着脱自在に接続される床用吸込具と、吸込管１または延長管５に配設され、収納状態と、吸込管または延長管の先端から突出した使用状態とに移動可能なブラシアタッチメント７とを備え、ブラシ９は、多層構造を取る長さ及び硬さの異なる少なくとも二種類以上のブラシで構成され、硬いブラシほど短く形成されることを特徴とする。【選択図】図１
2011156068.tif 000002
【特許請求の範囲】
【請求項１】
内部に電動送風機を有する掃除機本体と、一端が該掃除機本体に連通され、他端に吸込管が配設されるホースと、前記吸込管に着脱自在に接続される延長管と、該延長管に揺動自在、かつ着脱自在に接続される床用吸込具と、前記吸込管または前記延長管に配設され、収納状態と、吸込管または延長管の先端から突出した使用状態とに移動可能なブラシアタッチメントとを備え、
前記ブラシは、多層構造を取る長さ及び硬さの異なる少なくとも二種類以上のブラシで構成され、硬いブラシほど短く形成されることを特徴とする電気掃除機。
【請求項２】
内部に電動送風機を有する掃除機本体と、一端が該掃除機本体に連通され、他端に吸込管が配設されるホースと、前記吸込管に着脱自在に接続される延長管と、該延長管に揺動自在、かつ着脱自在に接続される床用吸込具と、前記吸込管または前記延長管の左右両側に形成される枢支部と、該枢支部に回動自在に枢支されるブラシアタッチメントとを備え、
前記ブラシアタッチメントは、略Ｕ字状に形成される基部と、該基部の一面に植毛されるブラシとで構成されるとともに、前記枢支部を支点として回動することで、前記ブラシが前記吸込管の先端から突出する突出状態と、前記ブラシが前記吸込管に沿って収納される収納状態とのいずれかの状態を選択可能に構成され、
前記ブラシは、多層構造を取る長さ及び硬さの異なる少なくとも二種類以上のブラシで構成され、硬いブラシほど短く形成されることを特徴とする電気掃除機。
【請求項３】
前記ブラシは、前記突出状態あるいは前記収納状態において、硬いブラシほど、内側となる位置に植毛されることを特徴とする請求項１記載の電気掃除機。
【請求項４】
前記ブラシアタッチメントが有するブラシは、柔らかい長毛ブラシと、硬い短毛ブラシとの二種類のブラシであることを特徴とする請求項１から請求項２のいずれかに記載の電気掃除機。
【請求項５】
内部に電動送風機を有する掃除機本体と、一端が該掃除機本体に連通し、他端に吸込管が配設されるホースと、前記吸込管に着脱自在に接続される延長管と、該延長管に揺動自在、かつ着脱自在に接続される床用吸込具と、前記吸込管または前記延長管の左右両側に形成される枢支部と、該枢支部が貫通するように該枢支部に回動自在に嵌着される下側ブラシアタッチメントと、前記枢支部に回動自在に枢支される上側ブラシアタッチメントを備え、
前記下側ブラシアタッチメント及び上側ブラシアタッチメントは、いずれも略Ｕ字状に形成される基部と、該基部の一面に植毛されるブラシとで構成されるとともに、
前記枢支部を支点として回動することで、前記ブラシが前記吸込管の先端から突出する突出状態と、前記ブラシが前記吸込管に沿って収納される収納状態とのいずれかの状態を選択可能に構成され、
前記下側ブラシアタッチメントが有するブラシと、前記上側ブラシアタッチメントが有するブラシとは、ブラシの長さ及び硬さが異なることを特徴とする電気掃除機。
【発明の詳細な説明】
【技術分野】
【０００１】
本発明は、電気掃除機に関するものである。
【背景技術】
【０００２】
電気掃除機は、先端に吸込管が配設されるホースに、延長管を介して、床用吸込具を接続し、床面等の掃除が行えるように構成される。この構成に加えて、例えば、部屋のコーナーや障子の桟などの床用吸込具では、掃除しにくい場所を掃除するために、先端にブラシが植毛され、吸込管あるいは延長管等に取り付け可能に構成されるブラシアタッチメント等が備えられる。
【０００３】
近年の電気掃除機は、ブラシアタッチメントの紛失防止や、取り外しの煩雑さ解消の目的で、ブラシアタッチメントを取り外すことなく、吸込管あるいは延長管に取り付けた状態のまま、ブラシアタッチメントを収納状態に移動できるように構成されおり、必要に応じて、床用吸込具あるいは延長管を外し、ブラシアタッチメントを使用状態に移動させて隙間等を掃除できるようになっている。
【０００４】
前述の目的を達成するための具体的な構成としては、吸込管の左右両側に突起状の枢支部を形成し、該枢支部に、略Ｕ字状に形成され、ブラシを有するブラシアタッチメントが回動自在に枢支されるように構成することで、ブラシアタッチメントを回動させることにより、ブラシアタッチメントに備えられたブラシが、吸込管の先端から突出する使用状態と吸込管に沿った位置に収納される収納状態のいずれかの状態を選択可能に構成された電気掃除機が知られている（特許文献１）。
【先行技術文献】
【特許文献】
【０００５】
【特許文献１】特開平６−３３５４４０
【発明の概要】
【発明が解決しようとする課題】
【０００６】
掃除する場所や用途によって必要とされるブラシの硬さは異なるものである。例えば、液晶画面等は、硬いブラシで掃除を行うと傷つく虞があるため、使用するブラシは柔らかいブラシであることが好ましく、逆に隙間などの塵埃が蓄積されやすい場所を掃除するためには、塵埃の掻き出しに適した硬めのブラシのほうが、柔らかいブラシを使用するよりも効果的である。
【０００７】
しかし、特許文献１のような構成では、吸込管に取り付けられるブラシは一種類であり、それ以外のブラシを使用するためには、従来の吸込管に差し込むタイプのアタッチメントを別途用意しなければならないという問題があった。
【０００８】
本発明は、用途に応じて、ブラシを使い分けることが可能で、かつ吸込管あるいは延長管に取り付けた状態のまま収納することができるブラシアタッチメントを備えた電気掃除機を提供する物である。
【課題を解決するための手段】
【０００９】
内部に電動送風機を有する掃除機本体と、一端が該掃除機本体に連通され、他端に吸込管が配設されるホースと、前記吸込管に着脱自在に接続される延長管と、該延長管に揺動自在、かつ着脱自在に接続される床用吸込具と、前記吸込管または前記延長管に配設され、収納状態と、吸込管または延長管の先端から突出した使用状態とに移動可能なブラシアタッチメントとを備え、前記ブラシは、多層構造を取る長さ及び硬さの異なる少なくとも二種類以上のブラシで構成され、硬いブラシほど短く形成されることを特徴とする。
【００１０】
または、内部に電動送風機を有する掃除機本体と、一端が該掃除機本体に連通され、他端に吸込管が配設されるホースと、前記吸込管に着脱自在に接続される延長管と、該延長管に揺動自在、かつ着脱自在に接続される床用吸込具と、前記吸込管または前記延長管の左右両側に形成される枢支部と、該枢支部に回動自在に枢支されるブラシアタッチメントとを備え、前記ブラシアタッチメントは、略Ｕ字状に形成される基部と、該基部の一面に植毛されるブラシとで構成されるとともに、前記枢支部を支点として回動することで、前記ブラシが前記吸込管の先端から突出する突出状態と、前記ブラシが前記吸込管に沿って収納される収納状態とのいずれかの状態を選択可能に構成され、前記ブラシは、多層構造を取る長さ及び硬さの異なる少なくとも二種類以上のブラシで構成され、硬いブラシほど短く形成されることを特徴とする。
【００１１】
前記ブラシは、前記突出状態あるいは前記収納状態において、硬いブラシほど、内側となる位置に植毛されることが好ましい。
【００１２】
前記ブラシアタッチメントが有するブラシは、柔らかい長毛ブラシと、硬い短毛ブラシとの二種類のブラシであることが好ましい。
【００１３】
または、内部に電動送風機を有する掃除機本体と、一端が該掃除機本体に連通し、他端に吸込管が配設されるホースと、前記吸込管に着脱自在に接続される延長管と、該延長管に揺動自在、かつ着脱自在に接続される床用吸込具と、前記吸込管または前記延長管の左右両側に形成される枢支部と、該枢支部が貫通するように該枢支部に回動自在に嵌着される下側ブラシアタッチメントと、前記枢支部に回動自在に枢支される上側ブラシアタッチメントを備え、前記下側ブラシアタッチメント及び上側ブラシアタッチメントは、いずれも略Ｕ字状に形成される基部と、該基部の一面に植毛されるブラシとで構成されるとともに、前記枢支部を支点として回動することで、前記ブラシが前記吸込管の先端から突出する突出状態と、前記ブラシが前記吸込管に沿って収納される収納状態とのいずれかの状態を選択可能に構成され、前記下側ブラシアタッチメントが有するブラシと、前記上側ブラシアタッチメントが有するブラシとは、ブラシの長さ及び硬さが異なることを特徴とする。
【発明の効果】
【００１４】
請求項１及び請求項２によると、ブラシアタッチメントに長さおよび硬さの異なるブラシを備え、硬いブラシほど短くなるように形成することで、被掃除面へのブラシアタッチメントの押しつけ加減によって、掃除に寄与させるブラシを選択可能とし、ブラシを使い分けることができる等の効果を奏する。
【００１５】
請求項３によると、吸込管開口に対して、短く硬いブラシが内周側に位置し、柔らかく長いブラシが外周側に位置するため、長毛ブラシを短毛ブラシが支え、長毛ブラシの毛先が吸込管近傍の空気とともに吸込管に吸い込まれ、吸込管の開口を閉塞してしまうことを防止することができる等の効果を奏する。
【００１６】
請求項４によると、植毛されるブラシが二種類であるため、ブラシの使い分けが容易である等の効果を奏する。
【００１７】
請求項５によると、異なるブラシを有するブラシアタッチメントが吸込管に配設され、任意のブラシアタッチメントのみを回動させることができるので、使用するブラシを選択できる等の効果を奏する。
【図面の簡単な説明】
【００１８】
【図１】本発明の第一実施形態におけるブラシアタッチメントの収納状態を示す吸込管の斜視図である。
【図２】同ブラシアタッチメントの使用状態を示す吸込管の斜視図である。
【図３】同吸込管の下側から見た斜視図である。
【図４】同延長管を吸込管に接続する様子を示す吸込管の斜視図である。
【図５】本発明の第二実施形態におけるブラシアタッチメントの収納状態を示す吸込管の斜視図である。
【図６】同下側ブラシアタッチメントの使用状態を示す斜視図である。
【図７】同上側ブラシアタッチメントの使用状態を示す斜視図である。
【図８】同延長管を吸込管に接続する様子を示す吸込管の斜視図である。
【図９】同延長管を吸込管に接続した状態を示す吸込管の断面図である。
【発明を実施するための形態】
【００１９】
本発明の第一実施形態について図１乃至図４に基づいて以下に詳述する。
【００２０】
１は可撓性を有するホース（図示しない）の一端に接続される吸込管で、ホースの他端に図示しない本体側接続管を備え、該本体側接続管は、電動送風機を有する図示しない掃除機本体に着脱自在に装着される。前記吸込管１外周部には、操作パネル２を有する把手部３と、該把手部３に対して反対側の位置に取っ手部４とが形成されている。以後、吸込管１に対して把手部３が位置する方を上側とする。５は一端が前記吸込管１に着脱自在に接続される延長管で、該延長管の他端には、図示しない床用吸込具が着脱自在、かつ揺動自在に接続されるようになっている。
【００２１】
６は前記吸込管１の左右両側に形成される突起状の枢支部、７は前記枢支部６に枢支されるブラシアタッチメントで、合成樹脂からなる略Ｕ字状の基部８と、該基部８の端面に植毛されたブラシ９とにより構成され、前記ブラシ９は、外周側に位置する柔らかい材料からなる長毛ブラシ１０と、内周側に位置する長毛ブラシ１０より硬い材料からなる短毛ブラシ１１とから構成されている。
【００２２】
前記ブラシアタッチメント７は、枢支部６を支点として回動させることで、前記ブラシ９が吸込管１の先端から突出する使用状態と、ブラシ９の先端が使用者の手元側に向くように吸込管１に沿って収納される収納状態とのいずれかの状態を選択可能となっている。
【００２３】
而して、液晶画面等の傷に弱い部分を掃除する際には、柔らかい長毛ブラシ１０だけを被掃除面に接触させるように吸込管１を近づけることで、被掃除面に傷がつくことを防止し、逆に隙間などを掃除する際には、硬い短毛ブラシ１１まで被掃除面に接触するように吸込管１を近づけることで、被掃除面に付着した塵埃を掻き出すようにして掃除することが可能となる。
【００２４】
この構成によると、硬い短毛ブラシ１１が配設されているので、ブラシアタッチメント７を使用して掃除を行う際、被掃除面に吸込管１を近づけすぎることがなく、長毛ブラシ１０が根元から折れ曲がってしまうことを防止している。また、掃除を行う際、吸込管１には吸込管１近傍の空気も一緒に吸い込まれるが、短毛ブラシ１１が内周側にあることで、長毛ブラシ１０を短毛ブラシ１１が支えるため、長毛ブラシ１０の毛先が吸込管１近傍の空気とともに吸込管１に吸い込まれ、吸込管１の開口を閉塞してしまうことを防止することができる。
【００２５】
一方、図４に示すようにブラシアタッチメント７を収納状態とした場合、ブラシアタッチメント７は、吸込管１に沿うように収納され、吸込管１への前記延長管５等の取り付けに支障を来すことがない。また、ブラシアタッチメント７のブラシ９は、収納状態では、ブラシ９が吸込管１に沿い、先端が開口から突出しないように手元側に向いた状態で収納されるため、長期使用により毛先が捲れても、延長管５等のアタッチメントを取り付ける際に、ブラシ９を噛み込んでアタッチメントが接続困難になる虞がない。
【００２６】
次に、本発明の第二実施形態について図５乃至図９に基づいて以下に詳述する。尚、上述した第一実施形態と同一部品は同一符号を附して説明を省略する。
【００２７】
１２は前記吸込管１枢支部に貫通した状態で回動自在に嵌着される下側ブラシアタッチメントで、合成樹脂からなる略Ｕ字状の基部１３と、該基部１３の端面に植毛された長毛ブラシ１４とにより構成され、該長毛ブラシ１４は、柔らかい材料で形成されている。
【００２８】
１５は前記枢支部の外側から嵌め込まれ、回動自在に枢支される上側ブラシアタッチメントで、合成樹脂からなる略Ｕ字状の基部１６と、該基部１６の端面に植毛された短毛ブラシ１７とにより構成され、前記短毛ブラシ１７は、前記長毛ブラシ１４よりも硬い材料によって形成されている。
【００２９】
前記下側ブラシアタッチメント１２及び前記上側ブラシアタッチメント１５は、互いに独立に回動させることができるようになっており、前記下側ブラシアタッチメント１２または前記上側ブラシアタッチメント１５を回動させることで、ブラシが前記吸込管１先端から突出する使用状態と、ブラシの先端が手元側に向くように前記吸込管１に沿って収納される収納状態のいずれかの状態を選択可能となっている。
【００３０】
而して、液晶画面等の傷に弱い部分を掃除する際には、上側ブラシアタッチメント１５を使用状態とすることで、柔らかい長毛ブラシ１４で被掃除面を掃除することができ、逆に隙間などの塵埃が蓄積されやすい場所を掃除する際には、下側ブラシアタッチメント１２を使用状態とすることで、硬い短毛ブラシ１７で、被掃除面に付着した塵埃を掻き出すようにして掃除することが可能となる。
【００３１】
尚、第二実施形態では、上側ブラシアタッチメント１５を収納状態にした際には、延長管５の着脱のための操作ボタンＡは隠れてしまうが、操作ボタンＡを覆い隠す上側ブラシアタッチメント１５の基部１６を外側から押圧することで、基部１６が変形し、操作ボタンＡを操作できるようになっている。
【００３２】
本発明の第二実施形態では、下側ブラシアタッチメント１２に対して、上側ブラシアタッチメント１５が外側に位置するようになっているが、下側ブラシアタッチメントが外側に位置するように構成してもよい。
【００３３】
また、下側ブラシアタッチメント１２に硬い短毛ブラシ１７、上側ブラシアタッチメント１５に柔らかい長毛ブラシ１４を配設する実施形態を例示しているが、下側ブラシアタッチメント１２に柔らかい長毛ブラシ１４、上側ブラシアタッチメント１５に硬い短毛ブラシ１７を配設しても良い。
【００３４】
本発明の第一実施形態、第二実施形態のいずれも、ブラシアタッチメントを吸込管１に配設している実施形態を例示しているが、ブラシアタッチメントを延長管５に配設しても良く、また吸込管１と延長管５の両方に配設しても良い。
【００３５】
尚、本発明の実施形態は、ブラシアタッチメントを回動可能に構成させることで、ブラシアタッチメントを収納状態と使用状態とを選択可能としているが、ブラシアタッチメントを吸込管に沿ってスライドさせることで、ブラシアタッチメントを収納状態と使用状態とを選択可能とする構成でも良い。
【産業上の利用可能性】
【００３６】
本発明は、電気掃除機に広く利用可能である。
【符号の説明】
【００３７】
１    吸込管
２    操作パネル
３    把手部
４    取っ手部
５    延長管
６    枢支部
７    ブラシアタッチメント
８    基部
９    ブラシ
１０  長毛ブラシ
１１  短毛ブラシ
１２  下側ブラシアタッチメント
１３  基部
１４  長毛ブラシ
１５  上側ブラシアタッチメント
１６  基部
１７  短毛ブラシ
Ａ    操作ボタン
【図１】
2011156068.tif 000003
【図２】
2011156068.tif 000004
【図３】
2011156068.tif 000005
【図４】
2011156068.tif 000006
【図５】
2011156068.tif 000007
【図６】
2011156068.tif 000008
【図７】
2011156068.tif 000009
【図８】
2011156068.tif 000010
【図９】
2011156068.tif 000011